(57)【要約】【課題】この発明は、ネットワーク接続された複数の録画機器または記録媒体から所望の録画番組を迅速に検索することを可能とした録画番組検索装置及び録画番組検索方法を提供することを目的としている。【解決手段】接続手段２１〜２４，６６に接続された複数の録画手段１９，２５，２７〜２９，３６〜３９，４１，４２から所定の録画手段を選択可能とする選択手段１６，１７，６１と、選択された録画手段からその録画番組を検索するための複数種類の検索条件を設定可能とする設定手段１６，１７，６１と、選択された録画手段に録画された番組の中から、設定された複数種類の検索条件に基づいて番組検索を行なう検索手段６１とを備える。【選択図】    図２
2006081109.tif 000002
【特許請求の範囲】
【請求項１】
複数の録画手段を接続可能な接続手段と、
前記接続手段に接続された複数の録画手段から所定の録画手段を選択可能とする選択手段と、
前記選択手段で選択された録画手段からその録画番組を検索するための複数種類の検索条件を設定可能とする設定手段と、
前記選択手段で選択された録画手段に録画された番組の中から、前記設定手段で設定された複数種類の検索条件に基づいて番組検索を行なう検索手段とを具備することを特徴とする録画番組検索装置。
【請求項２】
前記検索手段は、前記設定手段で設定された複数種類の検索条件の少なくとも１つに対応する番組を検索することを特徴とする請求項１記載の録画番組検索装置。
【請求項３】
前記検索手段は、前記設定手段で設定された複数種類の検索条件のうちから、全てでない複数種類の組み合わせに対応する番組を検索することを特徴とする請求項１記載の録画番組検索装置。
【請求項４】
前記検索手段は、前記設定手段で設定された複数種類の検索条件の全ての組み合わせに対応する番組を検索することを特徴とする請求項１記載の録画番組検索装置。
【請求項５】
前記設定手段は、複数種類の検索条件として、ジャンル、キーワード、日付、チャンネルのいずれかを設定可能であることを特徴とする請求項１乃至４いずれかに記載の録画番組検索装置。
【請求項６】
前記検索手段は、前記選択手段で選択された録画手段に問い合わせることにより、前記設定手段で設定された複数種類の検索条件に基づいて番組検索を行なうことを特徴とする請求項項１乃至５いずれかに記載の録画番組検索装置。
【請求項７】
前記選択手段で選択された録画手段に対する録画番組の一覧表示を行なう表示手段を具備することを特徴とする請求項６記載の録画番組検索装置。
【請求項８】
前記表示手段は、前記選択手段で選択された録画手段に、フォルダによる階層構造で番組が格納されている場合、その最上階のフォルダを録画番組の一覧表示に加えることを特徴とする請求項７記載の録画番組検索装置。
【請求項９】
前記設定手段は、検索条件として、番組検索を行なうフォルダを指定するための検索場所を設定可能であることを特徴とする請求項８記載の録画番組検索装置。
【請求項１０】
前記検索手段で検索された番組の中から所定の番組を選択可能とする検索番組選択手段と、
前記検索番組選択手段で選択された番組を、その録画手段から読み出して再生する再生手段とを具備することを特徴とする請求項６記載の録画番組検索装置。
【請求項１１】
前記録画手段は、番組を録画可能な録画機器及び記録媒体のいずれかを含むことを特徴とする請求項１乃至１０いずれかに記載の録画番組検索装置。
【請求項１２】
複数の録画手段を接続する第１の工程と、
前記第１の工程で接続された複数の録画手段から所定の録画手段を選択する第２の工程と、
前記第２の工程で選択された録画手段からその録画番組を検索するための複数種類の検索条件を設定する第３の工程と、
前記第２の工程で選択された録画手段から、前記第３の工程で設定された複数種類の検索条件に基づいて番組検索を行なう第４の工程とを具備することを特徴とする録画番組検索方法。
【請求項１３】
前記第４の工程で検索された番組の中から所定の番組を選択する第５の工程と、
前記第５の工程で選択された番組を、その録画手段から読み出して再生する第６の工程とを具備することを特徴とする請求項１２記載の録画番組検索方法。
【発明の詳細な説明】
【技術分野】
【０００１】
この発明は、例えばデジタルテレビジョン放送受信装置等に使用して好適する録画番組検索装置及び録画番組検索方法に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（Hard Disk Drive）のような大容量のデジタル録画機器を接続することにより、受信した番組をデジタル録画したり、録画した番組を再生したりすることが可能となっている。
【０００４】
さらに、現在では、１台のデジタル放送受信装置に対して、複数のデジタル録画機器を接続してネットワーク化することにより、デジタル放送受信装置が、任意のデジタル録画機器を指定して番組の録画を行なわせたり、任意のデジタル録画機器を指定して番組の再生を行なわせたりすることができる。
【０００５】
ところで、このように、複数のデジタル録画機器をネットワーク接続可能としたデジタル放送受信装置においては、各デジタル録画機器に録画されている番組をユーザが容易に管理することができ、所望の録画番組を迅速に検索して再生できるようにすることが重要となる。
【０００６】
特許文献１には、記録した番組の付加情報を基に検索を行なう機能を備えることで、多くの番組が記録された記録媒体から素早くかつ柔軟に目的の番組を探し出すことを可能とする技術が開示されている。
【０００７】
また、特許文献２には、予約録画した番組の「ドキュメンタリ」、「ドラマ」、「映画」といったジャンルをディレクトリ中の項目として登録することにより、予約録画した画像データを迅速かつ効率的に検索できるようにする技術が開示されている。
【０００８】
さらに、特許文献３には、再生時にテキストデータの言語が種々存在していても、ビデオデータを選択するための必須テキストデータが英数字で表現されるため、言語に無関係に再生するプログラムあるいはセルを選択することができ、さらに、装置の言語コードと同一の言語コードのテキスト情報に対する検索を行なうことができるようにした技術が開示されている。
【特許文献１】特開２００２−３５２５５８号公報
【特許文献２】特開２０００−２８５６４７号公報
【特許文献３】特開２０００−１８２３５９号公報
【発明の開示】
【発明が解決しようとする課題】
【０００９】
そこで、この発明は上記事情を考慮してなされたもので、ネットワーク接続された複数の録画機器または記録媒体から所望の録画番組を迅速に検索することを可能とした録画番組検索装置及び録画番組検索方法を提供することを目的とする。
【課題を解決するための手段】
【００１０】
この発明に係る録画番組検索装置は、複数の録画手段を接続可能な接続手段と、接続手段に接続された複数の録画手段から所定の録画手段を選択可能とする選択手段と、選択手段で選択された録画手段からその録画番組を検索するための複数種類の検索条件を設定可能とする設定手段と、選択手段で選択された録画手段に録画された番組の中から、設定手段で設定された複数種類の検索条件に基づいて番組検索を行なう検索手段とを備えるようにしたものである。
【００１１】
また、この発明に係る録画番組検索方法は、複数の録画手段を接続する第１の工程と、第１の工程で接続された複数の録画手段から所定の録画手段を選択する第２の工程と、第２の工程で選択された録画手段からその録画番組を検索するための複数種類の検索条件を設定する第３の工程と、第２の工程で選択された録画手段から、第３の工程で設定された複数種類の検索条件に基づいて番組検索を行なう第４の工程とを備えるようにしたものである。
【発明の効果】
【００１２】
上記した発明によれば、接続された複数の録画手段から所定の録画手段を選択し、その選択された録画手段に録画された番組の中から、予め設定された複数種類の検索条件に基づいて番組検索を行なうようにしたので、ネットワーク接続された複数の録画機器または記録媒体から所望の録画番組を迅速に検索することが可能となる。
【発明を実施するための最良の形態】
【００１３】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１４】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１５】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１６】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１７】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１８】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１９】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００２０】
また、第２のＬＡＮ端子２２は、イーサネットを用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２１】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２２】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２３】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２４】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２５】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２６】
そして、このチューナ４５で選局された放送信号は、ＰＳＫ（Phase Shift Keying）復調器４６に供給されて、デジタルの映像信号及び音声信号に復調された後、信号処理部４７に出力される。
【００２７】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２８】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２９】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号及び音声信号に復調された後、上記信号処理部４７に出力される。
【００３０】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００３１】
また、上記信号処理部４７には、複数（図示の場合は４つ）の入力端子５６ａ，５６ｂ，５６ｃ，５６ｄが接続されている。これら入力端子５６ａ〜５６ｄは、それぞれ、アナログの映像信号及び音声信号を、デジタルテレビジョン放送受信装置１１の外部から入力可能とするものである。
【００３２】
そして、この信号処理部４７は、上記アナログ復調器５３及び各入力端子５６ａ〜５６ｄからそれぞれ供給されたアナログの映像信号及び音声信号を選択的にデジタル化し、そのデジタル化された映像信号及び音声信号に対して所定のデジタル信号処理を施した後、グラフィック処理部５４及び音声処理部５５に出力している。
【００３３】
このうち、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３４】
そして、グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換した後、映像表示器１４に出力して映像表示させるとともに、出力端子５９を介して外部に導出させる。
【００３５】
また、上記音声処理部５５は、入力されたデジタルの音声信号を、前記スピーカ１５で再生可能なフォーマットのアナログ音声信号に変換した後、スピーカ１５に出力して音声再生させるとともに、出力端子６０を介して外部に導出させる。
【００３６】
ここで、このデジタルテレビジョン放送受信装置１１は、上記した各種の受信動作を含むその全ての動作を制御部６１によって統括的に制御されている。この制御部６１は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３７】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報及び制御情報等が格納される不揮発性メモリ６４とを利用している。
【００３８】
また、この制御部６１は、カードＩ／Ｆ（Interface）６５を介して、前記第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００３９】
さらに、上記制御部６１は、カードＩ／Ｆ６７を介して、前記第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００４０】
また、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００４１】
さらに、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００４２】
また、上記制御部６１は、ＵＳＢ Ｉ／Ｆ７１を介して前記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００４３】
さらに、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００４４】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００４５】
ここで、上記したデジタルテレビジョン放送受信装置１１の有する予約機能について説明する。この予約機能には、放送予定されている番組を指定して予約を行なう番組指定予約と、チャンネル及び日時を指定して予約を行なう日時指定予約との２種類がある。
【００４６】
また、番組指定予約には、指定した番組を指定した録画機器またはメモリカード等の記録媒体に録画する録画予約と、指定した番組の選局のみを行なう視聴予約とがある。さらに、日時指定予約にも、指定したチャンネル及び日時の放送内容を指定した録画機器またはメモリカードの記録媒体に録画する録画予約と、指定したチャンネル及び日時の放送の選局のみを行なう視聴予約とがある。
【００４７】
図４は、上記デジタルテレビジョン放送受信装置１１に対して、番組指定予約を設定する動作を説明するためのフローチャートを示している。この動作は、ユーザがリモートコントローラ１７の番組表キー１７ｈを操作することにより、開始（ステップＳ４ａ）される。
【００４８】
すると、制御部６１は、ステップＳ４ｂで、放送信号から予め取得しておいたＥＰＧ（Electronic Program Guide）情報に基づいて、図５（ａ）に示すような電子番組表を映像表示器１４に表示させる。
【００４９】
これにより、ユーザは、電子番組表の中から所望の番組を選択設定することができる。この選択設定は、リモートコントローラ１７のカーソルキー１７ｆを操作して所望の番組を選択し、決定キー１７ｇを操作することにより実行される。
【００５０】
このため、制御部６１は、ステップＳ４ｃで、電子番組表の中から所望の番組が選択設定されたことを検知すると、ステップＳ４ｄで、図５（ｂ）に示すような予約選択画面を表示させる。
【００５１】
この予約選択画面では、先に選択設定した番組に対する放送チャンネル、放送日、内容の概略説明等が表示され、録画予約か視聴予約かをユーザに選択させることができる。この選択も、リモートコントローラ１７のカーソルキー１７ｆを操作して録画予約か視聴予約かを選択し、決定キー１７ｇを操作することにより実行される。
【００５２】
そして、制御部６１は、ステップＳ４ｅで、録画予約及び視聴予約のいずれが選択されたかを判別し、視聴予約が選択されたと判断された場合、ステップＳ４ｆで、視聴予約のために設定された各情報を不揮発性メモリ６４に格納して視聴予約設定を完了し、処理を終了（ステップＳ４ｉ）する。このように視聴予約が設定されることにより、選択された番組が自動的に選局され視聴に供されるようになる。
【００５３】
また、上記ステップＳ４ｅで録画予約が選択されたと判断された場合、制御部６１は、ステップＳ４ｇで、図５（ｃ）に示すような録画予約設定画面を表示させる。この録画予約設定画面では、先に選択設定した番組を録画予約するか否かの選択、録画するデジタル録画機器または記録媒体の指定等を行なうことができる。
【００５４】
そして、制御部６１は、録画予約設定画面において録画予約が要求され種々の必要項目が設定された場合に、ステップＳ４ｈで、録画予約のために設定された各情報を不揮発性メモリ６４に格納して録画予約設定を完了し、処理を終了（ステップＳ４ｉ）する。このように録画予約が設定されることにより、選択された番組が、指定されたデジタル録画機器または記録媒体に自動的に録画されるようになる。
【００５５】
図６は、上記デジタルテレビジョン放送受信装置１１に対して、日時指定予約を設定する動作を説明するためのフローチャートを示している。この動作は、ユーザがリモートコントローラ１７のメニューキー１７ｐを操作して映像表示器１４に表示させた設定メニューの階層から、日時指定予約の項目を選択設定することにより開始（ステップＳ６ａ）される。
【００５６】
すると、制御部６１は、ステップＳ６ｂで、図７（ａ）に示すようなチャンネル設定画面を表示させる。このチャンネル設定画面では、ＢＳデジタル放送チャンネル及び１１０度ＣＳデジタル放送に属するチャンネルを設定することができる。
【００５７】
そして、制御部６１は、チャンネル設定画面でチャンネルが設定されたことを検知すると、ステップＳ６ｃで、図７（ｂ）に示すような開始・終了時刻設定画面を表示させる。この開始・終了時刻設定画面では、予約する日と、開始時刻及び終了時刻とを設定することができる。
【００５８】
その後、制御部６１は、開始・終了時刻設定画面で必要な項目が設定されたことを検知すると、ステップＳ６ｄで、図７（ｃ）に示すような予約選択画面を表示させる。この予約選択画面では、録画予約か視聴予約かをユーザに選択させることができる。
【００５９】
そして、制御部６１は、ステップＳ６ｅで、録画予約及び視聴予約のいずれが選択されたかを判別し、視聴予約が選択されたと判断された場合、ステップＳ６ｆで、視聴予約のために設定された各情報を不揮発性メモリ６４に格納して視聴予約設定を完了し、処理を終了（ステップＳ６ｉ）する。このように視聴予約が設定されることにより、指定されたチャンネル及び日時の放送が自動的に選局され視聴に供されるようになる。
【００６０】
また、上記ステップＳ６ｅで録画予約が選択されたと判断された場合、制御部６１は、ステップＳ６ｇで、図７（ｄ）に示すような録画予約設定画面を表示させる。この録画予約設定画面では、録画予約するか否かの選択、録画するデジタル録画機器または記録媒体の指定等を行なうことができる。
【００６１】
そして、制御部６１は、録画予約設定画面において録画予約が要求され種々の必要項目が設定された場合に、ステップＳ６ｈで、録画予約のために設定された各情報を不揮発性メモリ６４に格納して録画予約設定を完了し、処理を終了（ステップＳ６ｉ）する。このように録画予約が設定されることにより、指定されたチャンネル及び日時の放送が指定されたデジタル録画機器または記録媒体に自動的に録画されるようになる。
【００６２】
また、このデジタルテレビジョン放送受信装置１１は、現在視聴している番組を終了時刻まで、録画機器または記録媒体を指定して録画することが可能な視聴番組録画機能を有している。
【００６３】
図８は、この視聴番組録画機能による録画動作を説明するためのフローチャートを示している。この動作は、ユーザがリモートコントローラ１７のクイックキー１７ｅを操作して映像表示器１４に表示させたクイックメニューから、視聴番組録画の項目を選択設定することにより開始（ステップＳ８ａ）される。
【００６４】
すると、制御部６１は、ステップＳ８ｂで、図９に示すような録画設定画面を映像表示器１４に表示させる。このこの録画設定画面では、録画するか否かの選択、録画するデジタル録画機器または記録媒体の指定等を行なうことができる。
【００６５】
そして、制御部６１は、ステップＳ８ｃで、録画設定画面において録画が要求され種々の必要項目が設定されたことを検知した場合に、ステップＳ８ｄで、指定されたデジタル録画機器または記録媒体に現在選局している番組をその終了時刻まで録画させて、処理を終了（ステップＳ８ｅ）する。
【００６６】
以上に述べた録画予約機能及び視聴番組録画機能により、ユーザは、デジタルテレビジョン放送受信装置１１の各端子２１〜２４に接続されている複数のデジタル録画機器、または、カードホルダ６６に装着された第１のメモリカード１９等を任意に選択して、番組を録画させていくことが可能になる。
【００６７】
図１０は、上記した録画予約機能及び視聴番組録画機能により録画が実行された後の動作を説明するためのフローチャートを示している。すなわち、この動作が開始（ステップＳ１０ａ）されると、制御部６１は、ステップＳ１０ｂで、録画動作が終了したことを検知し、ステップＳ１０ｃで、録画動作が正常に完了したか否かを判別する。
【００６８】
そして、正常に完了したと判断された場合（ＹＥＳ）、ステップＳ１０ｄで、録画を行なったデジタル録画機器または記録媒体を特定するための機器情報（機器ＩＤ、機器名、共有フォルダ名等）と、その録画番組に関するイベント情報（イベントＩＤ、チャンネル番号、タイトル、内容説明、ジャンル、録画範囲、画質モード等）とを不揮発性メモリ６４に格納し、処理を終了（ステップＳ１０ｆ）する。
【００６９】
また、上記ステップＳ１０ｃで録画動作が正常に完了しなかったと判断された場合（ＮＯ）、制御部５６は、ステップＳ１０ｅで、録画動作が正常に完了しなかった旨のメッセージを映像表示器１４に表示させて、処理を終了（ステップＳ１０ｆ）する。
【００７０】
また、このデジタルテレビジョン放送受信装置１１は、指定したデジタル録画機器または記録媒体に録画を実行しているときだけ、出力端子５９，６０からアナログ映像信号及びアナログ音声信号を出力することができるように設定可能となっている。
【００７１】
この設定は、ユーザがリモートコントローラ１７のメニューキー１７ｐを操作して映像表示器１４に表示させた設定メニューの階層から、図１１に示すような出力設定画面を選択し、この出力設定画面上で「設定する」の項目を選択することにより実行される。
【００７２】
図１２は、上記した出力設定が行なわれている場合の、録画予約機能による録画時の動作を説明するためのフローチャートを示している。この動作が開始（ステップＳ１２ａ）されると、制御部６１は、ステップＳ１２ｂで、電源が投入されて例えばいずれかの放送が選局されて視聴に供されている状態等において、出力端子５９，６０からのアナログ映像信号及びアナログ音声信号の出力を停止させている。
【００７３】
そして、制御部６１は、ステップＳ１２ｃで、録画予約による録画開始時間に達したか否かを判別し、録画開始時間に達したと判断された場合（ＹＥＳ）、ステップＳ１２ｄで、出力端子５９，６０からアナログ映像信号及びアナログ音声信号が出力されるように制御する。
【００７４】
その後、制御部６１は、ステップＳ１２ｅで、録画予約による録画終了時間に達したか否かを判別し、録画終了時間に達したと判断された場合（ＹＥＳ）、ステップＳ１２ｆで、再び、電源投入状態における出力端子５９，６０からのアナログ映像信号及びアナログ音声信号の出力を停止させて、処理を終了（ステップＳ１２ｇ）する。
【００７５】
図１３は、上記した出力設定が行なわれている場合の、視聴番組録画機能による録画時の動作を説明するためのフローチャートを示している。この動作が開始（ステップＳ１３ａ）されると、制御部６１は、ステップＳ１３ｂで、電源が投入されて例えばいずれかの放送が選局されて視聴に供されている状態等において、出力端子５９，６０からのアナログ映像信号及びアナログ音声信号の出力を停止させている。
【００７６】
そして、制御部６１は、ステップＳ１３ｃで、視聴番組の録画が開始されたことを検知すると、ステップＳ１３ｄで、出力端子５９，６０からアナログ映像信号及びアナログ音声信号が出力されるように制御する。
【００７７】
その後、制御部６１は、ステップＳ１３ｅで、録画が終了したか否かを判別し、終了したと判断された場合（ＹＥＳ）、ステップＳ１３ｆで、再び、電源投入状態における出力端子５９，６０からのアナログ映像信号及びアナログ音声信号の出力を停止させて、処理を終了（ステップＳ１３ｇ）する。
【００７８】
また、このデジタルテレビジョン放送受信装置１１は、上記した録画予約機能及び視聴番組録画機能により、各種のデジタル録画機器または記録媒体に録画された種々の番組の中から、所望の番組を検索する録画番組検索機能を有している。
【００７９】
図１４は、この録画番組検索機能による検索動作を説明するためのフローチャートを示している。この動作は、ユーザがリモートコントローラ１７のfaceネットキー１７ｊを操作することにより開始（ステップＳ１４ａ）される。
【００８０】
すなわち、制御部６１は、ステップＳ１４ｂで、faceネットキー１７ｊの操作を検知すると、ステップＳ１４ｃで、faceネット（ナビゲーション）を起動させ、図１５に示すようなナビゲーション画面を映像表示器１４に表示させる。
【００８１】
このナビゲーション画面では、「テレビ」、「録画番組」、「写真」、「インターネット」、「Ｅメール」の５つの項目が選択可能に表示される。この選択は、リモートコントローラ１７のカーソルキー１７ｆを操作して所望の項目を選択し、決定キー１７ｇを操作することにより実行される。選択された項目は、画面上で他の項目と色を変えて表示されるが、図１５では「録画番組」が選択された状態をハッチングにより示している。
【００８２】
ここで、ユーザが「録画番組」の項目を選択し、さらにその中に含まれる「機器選択」の項目を選択設定すると、制御部６１は、ステップＳ１４ｄで、図１６に示すような機器選択画面を表示させる。
【００８３】
この機器選択画面では、第１及び第２のＬＡＮ端子２１，２２、ＵＳＢ端子２３、ｉ．Link端子２４に接続されている各種の機器、または、カードホルダ６６，６８に装着されているメモリカード１９，２０等が、制御部６１の認識している最新の情報に基づいて一覧表示される。このため、ユーザは、機器選択画面から所望の機器またはメモリカードを選択することができる。
【００８４】
そして、制御部６１は、機器選択画面から特定のデジタル録画機器（例えば第１のＬＡＮ端子２１に接続されたＮＡＳであるＨＤＤ２５）が選択されたことを検知した場合、ステップＳ１４ｅで、ＨＤＤ２５に問い合わせて、図１７に示すようなライブラリ画面を表示させる。
【００８５】
このライブラリ画面には、ＨＤＤ２５に録画されている全番組の一覧が表示される。この場合、各番組に対して、タイトル、チャンネル、録画日時、ジャンル、画質等が表示されている。また、このライブラリ画面には、現在録画中の番組も「録画中」のアイコンが付されて表示可能である。
【００８６】
このライブラリ画面の場合、一画面には最大で６つの番組が表示されるが、それ以上の数の番組が録画されている場合には、リモートコントローラ１７のカーソルキー１７ｆを操作して、上下にスクロールさせることで全ての番組を表示させることができる。
【００８７】
なお、ＨＤＤ２５には、番組をフォルダ形式で格納することができる。例えば「スポーツ関係」というフォルダを作成し、そのフォルダの下に「オリンピック」、「町内運動会」等のフォルダを作成し、「オリンピック」のフォルダの下にさらに「マラソン」、「水泳」等のフォルダを作成するというように、階層的に録画番組を管理することが可能となっている。図１７に示すライブラリ画面では、フォルダが作成されている場合、その最上階のフォルダ（図１７では「スポーツ関係」）が表示されるようになっている。
【００８８】
そして、制御部６１は、ライブラリ画面の表示状態でリモートコントローラ１７の黄色のカラーキー１７ｍが操作されたことを検知した場合、ステップＳ１４ｆで、図１８に示すような録画番組検索画面を表示させる。
【００８９】
この録画番組検索画面では、「ジャンル」、「キーワード」、「日付」、「チャンネル」、「検索場所」の５つの検索条件を設定可能となっている。そして、制御部６１は、ライブラリ画面に表示される全番組、つまり、ＨＤＤ２５に録画されている全番組の中から、５つの検索条件のうちの少なくともいずれか１つに該当する番組を検索する。
【００９０】
なお、５つの検索条件のうちの全てでない複数種類の組み合わせ、つまり、いずれか２つ、いずれか３つ、または、いずれか４つの論理積や論理和に該当する番組を検索するように設定することも可能である。また、５つの検索条件全ての論理積や論理和に該当する番組を検索するように設定することも可能である。これらの設定は、ユーザの操作によって実現される。
【００９１】
すなわち、制御部６１は、ユーザが録画番組検索画面の中から検索条件として「ジャンル」を選択すると、ステップＳ１４ｇで、図１９に示すようなジャンル設定画面を表示させる。
【００９２】
このジャンル設定画面では、「映画」、「洋画」、「邦画」、「スポーツ」等々の複数のジャンルを示す項目が一覧表示され、ユーザが任意のジャンルに対応する項目を選択することができるようになっており、設定されたジャンルに対応する番組検索が可能となっている。なお、「指定しない」の項目を選択することにより、ジャンルを検索条件として指定しないことも可能である。
【００９３】
ジャンルの設定が正しく終了した場合、または、リモートコントローラ１７の戻るキー１７ｋが操作された場合、再び、図１８に示した録画番組検索画面に戻る。そして、制御部６１は、ユーザが録画番組検索画面の中から検索条件として「キーワード」を選択すると、ステップＳ１４ｈで、図２０に示すようなキーワード設定画面を表示させる。
【００９４】
このキーワード設定画面では、ユーザが最大で１４個のキーワードを設定可能となっており、例えば設定されたキーワードの論理和に基づいた番組検索が可能となっている。なお、「指定しない」の項目を選択することにより、キーワードを検索条件として指定しないことも可能である。
【００９５】
キーワードの設定が正しく終了した場合、または、リモートコントローラ１７の戻るキー１７ｋが操作された場合、再び、図１８に示した録画番組検索画面に戻る。そして、制御部６１は、ユーザが録画番組検索画面の中から検索条件として「日付」を選択すると、ステップＳ１４ｉで、図２１に示すような日付設定画面を表示させる。
【００９６】
この日付設定画面では、ユーザが、特定の日、または、何年何月何日から何年何月何日までのような期間を設定可能となっており、設定された日または期間内に録画された番組を検索可能となっている。
【００９７】
日付の設定が正しく終了した場合、または、リモートコントローラ１７の戻るキー１７ｋが操作された場合、再び、図１８に示した録画番組検索画面に戻る。そして、制御部６１は、ユーザが録画番組検索画面の中から検索条件として「チャンネル」を選択すると、ステップＳ１４ｊで、図２２に示すようなチャンネル設定画面を表示させる。
【００９８】
このチャンネル設定画面では、地上デジタル放送等の放送の形態毎にチャンネルを設定可能となっており、設定されたチャンネルで録画された番組を検索可能となっている。
【００９９】
チャンネルの設定が正しく終了した場合、または、リモートコントローラ１７の戻るキー１７ｋが操作された場合、再び、図１８に示した録画番組検索画面に戻る。そして、制御部６１は、ユーザが録画番組検索画面の中から検索条件として「検索場所」を選択すると、ステップＳ１４ｋで、図２３に示すような検索場所設定画面を表示させる。
【０１００】
この検索場所設定画面では、番組検索を行なうフォルダを指定するための検索場所を、階層に無関係に設定可能となっており、設定された１または複数のフォルダ内での、上記ジャンル、キーワード、日付、チャンネルを条件とした番組検索を可能としている。
【０１０１】
検索場所の設定が正しく終了した場合、または、リモートコントローラ１７の戻るキー１７ｋが操作された場合、再び、図１８に示した録画番組検索画面に戻る。
【０１０２】
以上のようにして、５つの検索条件がそれぞれ設定可能となる。５つの検索条件としては、上記のように、ジャンル、キーワード、日付、チャンネル、検索場所の順序で設定する必要はなく、いずれの条件から設定することも可能である。
【０１０３】
このようにして５つの検索条件が設定された状態で、ユーザが録画番組検索画面の中から「検索開始」の項目を選択すると、制御部６１は、ステップＳ１４ｌで、ＨＤＤ２５に録画された全番組に対して、５つの検索条件に基づいた番組検索を実行する。この番組検索は、ＨＤＤ２５に問い合わせることによって実現される。そして、番組検索が終了すると、制御部６１は、図２４に示すような録画番組検索結果の画面を表示させ、処理を終了（ステップＳ１４ｍ）する。
【０１０４】
この録画番組検索結果の画面では、指定されたデジタル録画機器または記録媒体（この場合ＨＤＤ２５）、５つの検索条件に基づいて検索された番組の一覧が表示される。
【０１０５】
ここで、上記デジタルテレビジョン放送受信装置１１は、上記のようにして表示された録画番組検索結果の画面から、リモートコントローラ１７のカーソルキー１７ｆを操作して所望の番組を選択し、決定キー１７ｇを操作することにより、その番組を再生することができる機能を有している。
【０１０６】
図２５は、選択された番組を再生する動作を説明するためのフローチャートを示している。すなわち、この動作が開始（ステップＳ２５ａ）されると、制御部６１は、ステップＳ２５ｂで、録画番組検索結果の画面から選択された番組を検知して、ステップＳ２５ｃで、その選択された番組が録画されているデジタル録画機器からその番組が再生可能であるか否かを判別する。
【０１０７】
この判別は、例えば、記録された番組のフォーマットがデジタルテレビジョン放送受信装置１１での映像表示に対応しているか否か、記録された番組ファイルが破壊されているか否か、等々がある。
【０１０８】
そして、上記ステップＳ２５ｃで再生可能であると判断された場合（ＹＥＳ）、制御部６１は、ステップＳ２５ｄで、対象となるデジタル録画機器から再生要求された番組の情報を読み出し、再生するように制御して、処理を終了（ステップＳ２４ｆ）する。
【０１０９】
また、上記ステップＳ２５ｃで再生可能でないと判断された場合（ＮＯ）、制御部６１は、ステップＳ２５ｅで、要求された番組の再生が不可能である旨のメッセージを映像表示器１４に表示させて、処理を終了（ステップＳ２５ｆ）する。
【０１１０】
上記した実施の形態によれば、接続されたデジタル録画機器またはメモリカード等の記録媒体を指定し、ジャンル、キーワード、日付、チャンネル、検索場所等の検索条件を設定することにより、指定された録画機器または記録媒体から検索条件に対応した録画番組を検索可能としたので、ネットワーク接続された複数の録画機器または記録媒体から所望の録画番組を迅速に検索することが可能となる。
【０１１１】
また、上記した実施の形態では、ネットワーク接続されている複数の録画機器や記録媒体から特定の録画機器または記録媒体を指定し、その指定した録画機器または記録媒体の中から検索条件に基づいて番組を検索するようにしているが、これに限らず、例えば、ネットワーク上に全ての録画機器や記録媒体を一元管理するサーバを構築し、接続されている全ての録画機器や記録媒体を対象として検索条件に基づいた番組検索を行なえるようにすることも可能である。
【０１１２】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【０１１３】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置に番組指定予約を設定する動作を説明するために示すフローチャート。
【図５】同実施の形態におけるデジタルテレビジョン放送受信装置に番組指定予約を設定する際の各種設定画面の一例を説明するために示す図。
【図６】同実施の形態におけるデジタルテレビジョン放送受信装置に日時指定予約を設定する動作を説明するために示すフローチャート。
【図７】同実施の形態におけるデジタルテレビジョン放送受信装置に日時指定予約を設定する際の各種設定画面の一例を説明するために示す図。
【図８】同実施の形態におけるデジタルテレビジョン放送受信装置の視聴番組録画動作を説明するために示すフローチャート。
【図９】同実施の形態におけるデジタルテレビジョン放送受信装置に視聴番組録画動作を行なわせる録画設定画面の一例を説明するために示す図。
【図１０】同実施の形態におけるデジタルテレビジョン放送受信装置の録画が実行された後の動作を説明するために示すフローチャート。
【図１１】同実施の形態におけるデジタルテレビジョン放送受信装置の出力設定画面の一例を説明するために示す図。
【図１２】同実施の形態におけるデジタルテレビジョン放送受信装置の出力設定された予約録画動作を説明するためのフローチャート。
【図１３】同実施の形態におけるデジタルテレビジョン放送受信装置の出力設定された視聴番組録画動作を説明するためのフローチャート。
【図１４】同実施の形態におけるデジタルテレビジョン放送受信装置の録画番組検索動作を説明するために示すフローチャート。
【図１５】同実施の形態における録画番組検索動作のナビゲーション画面の一例を説明するために示す図。
【図１６】同実施の形態における録画番組検索動作の機器選択画面の一例を説明するために示す図。
【図１７】同実施の形態における録画番組検索動作のライブラリ画面の一例を説明するために示す図。
【図１８】同実施の形態における録画番組検索動作の録画番組検索画面の一例を説明するために示す図。
【図１９】同実施の形態における録画番組検索動作のジャンル設定画面の一例を説明するために示す図。
【図２０】同実施の形態における録画番組検索動作のキーワード設定画面の一例を説明するために示す図。
【図２１】同実施の形態における録画番組検索動作の日付設定画面の一例を説明するために示す図。
【図２２】同実施の形態における録画番組検索動作のチャンネル設定画面の一例を説明するために示す図。
【図２３】同実施の形態における録画番組検索動作の検索場所設定画面の一例を説明するために示す図。
【図２４】同実施の形態における録画番組検索動作の録画番組検索結果の画面の一例を説明するために示す図。
【図２５】同実施の形態における録画番組検索結果の画面から選択された番組を再生する動作を説明するために示すフローチャート。
【符号の説明】
【０１１４】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４…グラフィック処理部、５５…音声処理部、５６ａ〜５６ｄ…入力端子、５７…ＯＳＤ信号生成部、５８…映像処理部、５９…出力端子、６０…出力端子、６１…制御部、６２…ＲＯＭ、６３…ＲＡＭ、６４…不揮発性メモリ、６５…カードＩ／Ｆ、６６…カードホルダ、６７…カードＩ／Ｆ、６８…カードホルダ、６９…通信Ｉ／Ｆ、７０…通信Ｉ／Ｆ、７１…ＵＳＢ Ｉ／Ｆ、７２…ｉ．Link Ｉ／Ｆ。
【図１】
2006081109.tif 000003
【図２】
2006081109.tif 000004
【図３】
2006081109.tif 000005
【図４】
2006081109.tif 000006
【図５】
2006081109.tif 000007
【図６】
2006081109.tif 000008
【図７】
2006081109.tif 000009
【図８】
2006081109.tif 000010
【図９】
2006081109.tif 000011
【図１０】
2006081109.tif 000012
【図１１】
2006081109.tif 000013
【図１２】
2006081109.tif 000014
【図１３】
2006081109.tif 000015
【図１４】
2006081109.tif 000016
【図１５】
2006081109.tif 000017
【図１６】
2006081109.tif 000018
【図１７】
2006081109.tif 000019
【図１８】
2006081109.tif 000020
【図１９】
2006081109.tif 000021
【図２０】
2006081109.tif 000022
【図２１】
2006081109.tif 000023
【図２２】
2006081109.tif 000024
【図２３】
2006081109.tif 000025
【図２４】
2006081109.tif 000026
【図２５】
2006081109.tif 000027